(57)【要約】【課題】ホットワード検出後の音声認識処理中でも、ホットワード検出可能とすること。【解決手段】音声認識システム１は、録音された音声データが出力される録音バッファと、録音バッファの音声データがコピーされる一次バッファと、を備える。一次バッファの音声データを用いて、ホットワード検出が行われる。録音バッファの音声データを用いて、自然言語理解が行われる。ホットワードが検出された後、ホットワード検出と、自然言語理解と、が同時に行われる。【選択図】図１
2019113636.tif 000002
【特許請求の範囲】
【請求項１】
録音された音声データが出力される録音バッファと、
前記録音バッファの音声データがコピーされる一次バッファと、
を備え、
前記一次バッファの音声データを用いて、ホットワード検出が行われ、
前記録音バッファの音声データを用いて、自然言語理解が行われることを特徴とする音声認識システム。
【請求項２】
ホットワードが検出された後、ホットワード検出と、自然言語理解と、が同時に行われることを特徴とする請求項１に記載の音声認識システム。
【請求項３】
ホットワードが検出される前、前記録音バッファの音声データを用いて、ホットワード検出が行われることを特徴とする請求項１又は２に記載の電音声認識システム。
【請求項４】
ホットワードが検出された後、前記録音バッファの音声データが前記一次バッファにコピーされることを特徴とする請求項１〜３のいずれか１項に記載の音声認識システム。
【発明の詳細な説明】
【技術分野】
【０００１】
本発明は、音声認識を行う音声認識システムに関する。
【背景技術】
【０００２】
音声認識を行う音声認識システムは、例えば、スピーカー装置等の電子機器と、クラウドサーバーと、から構成される。電子機器は、マイクとスピーカーとを備える。音声認識システムは、マイクから入力される音声を認識し、認識した音声に基づいて、処理を実行し、実行結果をスピーカーから出力する。例えば、ユーザーが、「天気教えて」と発話した場合、音声認識システムに含まれる電子機器から、「今日の天気は晴れです。」という音声が出力される。特許文献１には、音声認識の結果で、通信レートを変更する発明が開示されている。
【０００３】
音声認識を行う音声認識システムの中には、音声認識を有効とするためのホットワード（例えば、「ハロー、オンキヨー」）を検出した場合に、その後の音声認識処理（自然言語理解：ＮＬＵ（Natural language understanding））を行うものがある。図３（ａ）は、ホットワード検出を説明するための図である。録音された音声データは、録音バッファに出力される。録音バッファの音声データを用いて、ホットワード検出が行われる。図３（ｂ）は、ホットワード検出後の処理を説明するための図である。ホットワード検出後、録音バッファの音声データを用いて、自然言語理解が行われる。
【先行技術文献】
【特許文献】
【０００４】
【特許文献１】米国公開特許２００８／０３０００２５
【発明の概要】
【発明が解決しようとする課題】
【０００５】
従来の電子機器においては、ホットワード検出後、自然言語理解が終了するまで、ホットワード検出を行うことができないという問題がある。例えば、ユーザーは、ホットワードである「ハロー、オンキヨー」を発話した後、「天気を教えて」と発話したとする。このとき、ユーザーは、天気の情報を聞くのではなく、音楽を聴きたくなった場合、「ハロー、オンキヨー」、「天気を教えて」の後、即座に、「ハロー、オンキヨー」、「音楽をかけて」と発話しても、音楽を聴くことができない。
【０００６】
本発明の目的は、ホットワード検出後の音声認識処理中でも、ホットワード検出可能とすることである。
【課題を解決するための手段】
【０００７】
第１の発明の音声認識システムは、録音された音声データが出力される録音バッファと、前記録音バッファの音声データがコピーされる一次バッファと、を備え、前記一次バッファの音声データを用いて、ホットワード検出が行われ、前記録音バッファの音声データを用いて、自然言語理解が行われることを特徴とする。
【０００８】
本発明では、録音バッファの音声データがコピーされた一次バッファの音声データを用いて、ホットワード検出が行われる。また、録音バッファの音声データを用いて、自然言語理解が行われる。このため、ホットワード検出と自然言語理解とを同時に行うことができるため、ホットワード検出後の自然言語理解処理中でも、ホットワード検出を行うことができる。
【０００９】
第２の発明の音声認識システムは、第１の発明の音声認識システムにおいて、ホットワードが検出された後、ホットワード検出と、自然言語理解と、が同時に行われることを特徴とする。
【００１０】
第３の発明の音声認識システムは、第１又は第２の発明の音声認識システムにおいて、ホットワードが検出される前、前記録音バッファの音声データを用いて、ホットワード検出が行われることを特徴とする。
【００１１】
第４の発明の音声認識システムは、第１〜第３のいずれかの発明の音声認識システムにおいて、ホットワードが検出された後、前記録音バッファの音声データが前記一次バッファにコピーされることを特徴とする。
【発明の効果】
【００１２】
本発明によれば、ホットワード検出後の自然言語理解処理中でも、ホットワード検出を行うことができる。
【図面の簡単な説明】
【００１３】
【図１】本発明の実施形態に係る音声認識システムの構成を示す図である。
【図２】本発明の実施形態に係る音声認識システムの構成を示す図である。
【図３】（ａ）ホットワード検出を説明するための図である。（ｂ）は、ホットワード検出後の処理を説明するための図である。
【発明を実施するための形態】
【００１４】
以下、本発明の実施形態について説明する。図１は、本発明の実施形態係る音声認識システムの構成を示すブロック図である。音声認識システム１は、電子機器と、クラウドサーバーと、を備える。電子機器は、図示しないが、ＳｏＣ（System on Chip）と、マイクと、スピーカーと、等を備える。ＳｏＣ（制御部）は、電子機器を構成する各部を制御する。本実施形態では、音声認識システム１は、電子機器と、クラウドサーバーと、によって、構成され、電子機器とクラウドサーバーとが協働して、音声認識を行う。
【００１５】
マイクは、音声を集音する。マイクにより集音された音声は、録音される（音声録音）。ＳｏＣにより、録音された音声データは、録音バッファに出力される。録音バッファの音声データを用いて、ホットワード（トリガーワード）の検出が行われる（図３（ａ）参照）。ホットワードは、例えば、「ハロー、オンキヨー」である。本実施形態では、ＳｏＣがホットワードの検出を行うが、ホットワードの検出は、クラウドサーバーで行われてもよい。ホットワードの検出後、図１に示すように、ＳｏＣにより、録音バッファの音声データは、一次バッファにコピーされる。一次バッファの音声データを用いて、引き続き、ホットワードの検出が行われる。これと同時に、録音バッファの音声データを用いて、自然言語理解が行われる。本実施形態では、クラウドサーバーで、自然言語理解が行われる。
【００１６】
なお、本実施形態では、電子機器に、録音バッファ、一次バッファが設けられているが、クラウドサーバーに設けられていてもよい。
【００１７】
このように、ホットワード検出と、自然言語理解と、が同時に行われるため、ホットワード検出後の自然言語理解処理中でも、ホットワード検出を行うことができる。すなわち、「ハロー、オンキヨー」、「天気を教えて」の後、即座に、「ハロー、オンキヨー」、「音楽をかけて」と発話した場合、自然言語理解処理中であっても、ホットワード検出を行って、音楽を再生することができる。
【００１８】
なお、自然言語理解の後、音声合成が行われる。例えば、ユーザーが、「ハロー、オンキヨー」、「天気を教えて」と発話したとする。これに対応して、例えば、「今日の天気は晴れです。」がスピーカーから出力される。ここで、音声合成処理中は、図２に示すように、録音バッファの音声データを用いて、ホットワード検出が行われる。「今日の天気は晴れです。」音声合成中に、「ハロー、オンキヨー」と発話されるような場合、録音バッファの音声データを用いて、ホットワード検出が行われる。
【００１９】
以上説明したように、本実施形態では、録音バッファの音声データがコピーされた一次バッファの音声データを用いて、ホットワード検出が行われる。また、録音バッファの音声データを用いて、自然言語理解が行われる。このため、ホットワード検出と自然言語理解とを同時に行うことができるため、ホットワード検出後の自然言語理解処理中でも、ホットワード検出を行うことができる。
【００２０】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００２１】
本発明は、音声認識を行う音声認識システムに好適に採用され得る。
【符号の説明】
【００２２】
１  音声認識システム
【図１】
2019113636.tif 000003
【図２】
2019113636.tif 000004
【図３】
2019113636.tif 000005